(57)【要約】【課題】  本発明の目的は、電源から給電されている場合に、電源から出力されている電圧が定格電圧を超えているのかをユーザがより正確に認識できるようにすることである。【解決手段】  入力された電圧を所定の電圧以下の電圧に変換して出力可能な第一の装置、または、第一の電源と接続可能な接続手段と、入力された電圧を測定可能な測定手段と、第一の装置で測定された第一の電源の電圧を取得可能な取得手段と、接続手段が、第一の装置を介して第一の電源と接続しており、取得手段が取得した第一の電源の電圧が所定の電圧より高い場合には、表示部に第一の電源の電圧に関する情報を第一の表示形態で表示し、接続手段が、第一の装置を介さずに第一の電源と接続しており、測定手段が測定した第一の電源の電圧が所定の電圧より高い場合には、表示部に情報を第二の表示形態で表示するように制御する制御手段とを有することを特徴とする。【選択図】  図３
2018031965.tif 000002
【特許請求の範囲】
【請求項１】
入力された電圧を所定の電圧以下の電圧に変換して出力可能な第一の装置、または、第一の電源と接続可能な接続手段と、
入力された電圧を測定可能な測定手段と、
前記第一の装置で測定された前記第一の電源の電圧を取得可能な取得手段と、
前記接続手段が、前記第一の装置を介して前記第一の電源と接続しており、前記取得手段が取得した前記第一の電源の電圧が前記所定の電圧より高い場合には、表示部に前記第一の電源の電圧に関する情報を第一の表示形態で表示し、
前記接続手段が、前記第一の装置を介さずに前記第一の電源と接続しており、前記測定手段が測定した前記第一の電源の電圧が前記所定の電圧より高い場合には、前記表示部に前記情報を第二の表示形態で表示するように制御する制御手段とを有することを特徴とする表示制御装置。
【請求項２】
前記制御手段は、前記情報を前記第一の表示形態で表示する際には、前記表示部に少なくとも前記所定の電圧を表示し、前記情報を前記第二の表示形態で表示する際には、前記表示部に前記所定の電圧を表示せず、前記所定の電圧を超えていることを示す表示をするように制御することを特徴とする請求項１に記載の表示制御装置。
【請求項３】
前記制御手段は、前記接続手段が、前記第一の装置を介して前記第一の電源と接続しており、前記取得手段が取得した前記第一の電源の電圧が前記所定の電圧より低い場合には、取得した電圧に基づく電圧を前記情報として表示するように制御することを特徴とする請求項１または２に記載の表示制御装置。
【請求項４】
前記第一の電源の電圧の前記第一の表示形態での表示とは、前記所定の電圧と共に記号を表示することであることを特徴とする請求項１乃至３のいずれか１項に記載の表示制御装置。
【請求項５】
前記制御手段は、前記情報を前記第二の表示形態で表示する際には、前記第一の電源の電圧が前記所定の電圧を超えていることを示す警告メッセージを表示するように制御することを特徴とする請求項１乃至４のいずれか１項に記載の表示制御装置。
【請求項６】
前記所定の電圧は前記表示制御装置の定格電圧であることを特徴とすることを特徴とする請求項１乃至５のいずれか１項に記載の表示制御装置。
【請求項７】
前記第一の装置においては、入力された電圧をＤＣ／ＤＣ変換することにより前記所定の電圧以下にすることを特徴とすることを特徴とする請求項１乃至６のいずれか１項に記載の表示制御装置。
【請求項８】
前記第一の装置は、前記第一の電源の電圧を測定する測定部と、前記取得手段へ前記測定部において測定した電圧を送信する送信部とを有していることを特徴とする請求項１乃至７のいずれか１項に記載の表示制御装置。
【請求項９】
前記第一の電源とは異なる第二の電源と接続可能な電源接続手段をさらに有し、
前記電源接続手段が前記第二の電源と接続した場合には、
前記制御手段は、前記第二の電源の電圧に関する情報を前記測定手段の測定した前記第二の電源の電圧の大きさに基づき表示するように制御することを特徴とする請求項１乃至８のいずれか１項に記載の表示制御装置。
【請求項１０】
前記第一の電源は、バッテリであることを特徴とする請求項１乃至９のいずれか１項に記載の表示制御装置。
【請求項１１】
前記情報の前記第一の表示形態とは、前記第一の電源と共に前記所定の電圧に＋を付して表示をすることであることを特徴とする請求項１乃至１０のいずれか１項に記載の表示制御装置。
【請求項１２】
前記情報の前記第二の表示形態とは、前記第一の電源と共にＯＶＥＲと表示をすることであることを特徴とする請求項１乃至１１のいずれか１項に記載の表示制御装置。
【請求項１３】
前記第一の装置は、記録媒体への記録制御が可能な記録装置であることを特徴とする請求項１乃至１２のいずれか１項に記載の表示制御装置。
【請求項１４】
入力された電圧を所定の電圧以下の電圧に変換して出力可能な第一の装置、または、第一の電源と接続可能な接続ステップと、
入力された電圧を測定可能な測定ステップと、
前記第一の装置で測定された前記第一の電源の電圧を取得可能な取得ステップと、
前記接続ステップにおいて前記第一の装置を介して前記第一の電源と接続しており、前記取得ステップにおいて取得した前記第一の電源の電圧が前記所定の電圧より高い場合には、表示部に前記第一の電源の電圧に関する情報を第一の表示形態で表示し、
前記接続ステップにおいて前記第一の装置を介さずに前記第一の電源と接続しており、前記測定ステップにおいて測定した前記第一の電源の電圧が前記所定の電圧より高い場合には、前記表示部に前記情報を第二の表示形態で表示するように制御する制御ステップとを有することを特徴とする表示制御装置の制御方法。
【請求項１５】
コンピュータを、請求項１乃至１３のいずれか１項に記載された表示制御装置の各手段として機能させるためのプログラム。
【請求項１６】
コンピュータを、請求項１乃至１３のいずれか１項に記載された表示制御装置の各手段として機能させるためのプログラムを格納したコンピュータが読み取り可能な記録媒体。
【発明の詳細な説明】
【技術分野】
【０００１】
本発明は、表示制御装置およびその制御方法に関し、特に電源の電圧と定格電圧に関する表示をする際の技術に関する。
【背景技術】
【０００２】
従来、定格電圧を超えた電圧が入力された際にユーザに警告をする技術が知られている。特許文献１には、定格電圧未満の電流が供給されている場合には緑色でダイオードを発光させ、定格電圧を超えた電流が供給されている場合には赤色でダイオードを発光させることが開示されている。また、特許文献２には異なる定格電圧を有する車両電気分配システムにおいて、ＤＣ／ＤＣ変換器により一方の電圧を増加させ、他方の電圧を減少させることが開示されている。
【先行技術文献】
【特許文献】
【０００３】
【特許文献１】特開２００８−２６４４２７号公報
【特許文献２】特開２０１５−１２８０３号公報
【発明の概要】
【発明が解決しようとする課題】
【０００４】
電源から装置に電力が供給されている場合、特許文献１に記載のように警告をすることで、ユーザは入力されている電圧が定格電圧を超えていることを認識できる。一方で、特許文献２のように、電源と装置側との間で電圧を変換した上で装置側へと給電する場合には、電源の電圧は定格電圧よりも高くても、実際に装置に入力されている電圧は定格電圧を下回っていることがある。このとき、装置に入力されている電圧が定格電圧未満であっても、電源の電圧が定格電圧を超えているからといって、警告をしてしまうと、ユーザが入力されている電圧までもが定格電圧を超えているのかと認識してしまう可能性がある。
【０００５】
本発明は、上記の課題に鑑み、電源から給電されている場合に、電源から出力されている電圧が定格電圧を超えているのかをユーザがより正確に認識できるようにすることを目的とする。
【課題を解決するための手段】
【０００６】
上記目的を達成するために、本発明の表示制御装置は、入力された電圧を所定の電圧以下の電圧に変換して出力可能な第一の装置、または、第一の電源と接続可能な接続手段と、入力された電圧を測定可能な測定手段と、前記第一の装置で測定された前記第一の電源の電圧を取得可能な取得手段と、前記接続手段が、前記第一の装置を介して前記第一の電源と接続しており、前記取得手段が取得した前記第一の電源の電圧が前記所定の電圧より高い場合には、表示部に前記第一の電源の電圧に関する情報を第一の表示形態で表示し、前記接続手段が、前記第一の装置を介さずに前記第一の電源と接続しており、前記測定手段が測定した前記第一の電源の電圧が前記所定の電圧より高い場合には、前記表示部に前記情報を第二の表示形態で表示するように制御する制御手段とを有することを特徴とする。
【発明の効果】
【０００７】
本発明によれば、電源から給電されている場合に、電源から出力されている電圧が定格電圧を超えているのかをユーザがより正確に認識できるようにすることができる。
【図面の簡単な説明】
【０００８】
【図１】本実施形態の構成を適用可能な装置の一例としてのデジタルカメラ及びレコーダの外観図
【図２】本実施形態の構成を適用可能な装置の一例としてのデジタルカメラ及びレコーダの構成例を示すブロック図
【図３】本実施形態における電圧表示処理のフローチャート
【図４】本実施形態における表示例を示す図
【図５】本実施形態における電圧と表示の関係を示す図
【発明を実施するための形態】
【０００９】
以下、図面を参照して本発明の好適な実施形態を説明する。
【００１０】
図１（ａ）に本発明を適用可能な表示制御装置の一実施形態としてのデジタルカメラ１００の外観図を示す。表示部２８は画像や各種情報を表示する表示部である。シャッターボタン６１は撮影指示を行うための操作部である。操作部７０はユーザからの各種操作を受け付ける各種スイッチ、ボタン等の操作部材より成る操作部である。電源スイッチ７２は、電源オン、電源オフを切り替えるための押しボタンである。表示部２８は、デジタルカメラ１００の側面に配置される表示部であり、メニュー項目を表示したり、撮像画像を表示したりすることができる。また表示部２８の上下に配置されるボタンは、表示部２８に表示される各アイテムに対応しており、各ボタンの押下により表示部２８上のアイテムが選択可能となる。表示部２８には、電力の供給源や残量等や、撮影に関する設定値等が表示される。ファインダ７６は、デジタルカメラ１００において撮像された画像が表示される電子ビューファインダである。表示部の表示例として図４（ａ）に表示部２８の一例を示しており、アイテム４０１は記録速度、アイテム４０２は絞り、アイテム４０３はシャッター速度、アイテム４０４はＩＳＯ感度、アイテム４０５は色調整、アイテム４０６はホワイトバランスを示している。不図示の記録媒体７３はメモリカードやハードディスク等の不揮発性の記録媒体であり、デジタルカメラ１００側のＩ／Ｆ１８と接続可能な記録媒体である。外部Ｉ／Ｆ７７には、バッテリや外部レコーダが装着可能であり、電源の入力及び映像信号、音声信号、制御信号の入出力を行うためのインターフェース部材（電力供給や外部入力を受付け可能な部材）である。電源Ｉ／Ｆ７５は、例えばＡＣアダプタが装着可能な電源入力のインターフェース部材（電源接続部）である。電源Ｉ／Ｆ７５から入力された電力は、外部Ｉ／Ｆ７７から入力された電力源よりも優先して使用される。
【００１１】
デジタルカメラ１００の表示部２８には、バッテリ及びＡＣアダプタの電圧が表示される。ＡＣアダプタは本実施形態では電源Ｉ／Ｆ７５に接続され、デジタルカメラ１００側（電圧測定部７４）で電圧を測定することができる。一方で、バッテリはレコーダを介してデジタルカメラ１００と接続する場合がある。
【００１２】
図１（ｂ）、（ｃ）にはデジタルカメラ１００とバッテリやレコーダ２００が接続した場合の関係を示す。レコーダ２００は、記録媒体への記録制御が可能な記録装置である。図１（ｂ）に示すように、デジタルカメラ１００にはＢＡＴＴアダプタ（バッテリアダプタ）を介してバッテリが接続可能である。また、図１（ｃ）に示すように、デジタルカメラ１００にはレコーダ用アダプタを介してレコーダ２００が接続可能であり、さらにレコーダ２００にはバッテリが接続可能である。図１（ｂ）のようにバッテリがレコーダ２００を介さずにデジタルカメラ１００を接続する場合、バッテリの電圧Ａ（Ｖ）はバッテリからデジタルカメラ１００側に流れる電力によって測定することができる。すなわち、デジタルカメラ１００の電圧測定部７４はＡ（Ｖ）を測定可能である。図１（ｃ）のようにバッテリがレコーダ２００を介してデジタルカメラ１００と接続する場合、バッテリの電力はレコーダ２００で消費された後、デジタルカメラ１００側へ給電される。このとき、レコーダ２００のＤＣ／ＤＣ変換部２０９において電圧が平均化されるので、電圧測定部７４で測定される電圧はレコーダ２００において平均化され、デジタルカメラ１００の定格電圧以下まで調整された電圧の値となる。よって、レコーダ２００を介してバッテリから給電されている場合には、レコーダ２００で取得したバッテリの電圧をバッテリの通信部２０８から取得する。図１（ｃ）に示すように、バッテリの電圧がＢ（Ｖ）である場合に、デジタルカメラ１００の電圧測定部７４で測定されるのは、ＤＣ／ＤＣ変換された電圧Ｃ（Ｖ）である。よって、バッテリの電圧を取得するためにレコーダ２００の通信部２０８（バッテリ情報を送信可能な送信部）からバッテリの電圧情報をデジタルカメラ１００側の通信部５４が取得するようにしている。なお、レコーダ２００はデジタルカメラ１００と、デジタルカメラ１００の外部Ｉ／Ｆ７７とレコーダ２００の外部Ｉ／Ｆ２０６とを介して接続可能な記録装置である。
【００１３】
図２は、本実施形態によるデジタルカメラ１００の構成例を示すブロック図である。
【００１４】
図２（ａ）において、レンズ群１０１は撮影レンズ、シャッターを含む。撮像部２２は光学像を電気信号に変換するＣＣＤやＣＭＯＳ素子等で構成される撮像素子である。Ａ／Ｄ変換器２３は、撮像部２２から出力されるアナログ信号をデジタル信号に変換するために用いられる。
【００１５】
画像処理部２４は、Ａ／Ｄ変換器２３からのデータ、又は、メモリ制御部１５からのデータに対し所定の画素補間、縮小といったリサイズ処理や色変換処理を行う。
【００１６】
Ａ／Ｄ変換器２３からの出力データは、画像処理部２４及びメモリ制御部１５を介して、或いは、画像処理部２４を介さずメモリ制御部１５を介してメモリ３２に直接書き込まれる。メモリ３２は、撮像部２２によって得られＡ／Ｄ変換器２３によりデジタルデータに変換された画像データや、表示部２８に表示するための画像データを格納する。メモリ３２は、所定枚数の静止画像や所定時間の動画像および音声を格納するのに十分な記憶容量を備えている。
【００１７】
また、メモリ３２は画像表示用のメモリ（ビデオメモリ）を兼ねている。Ｄ／Ａ変換器１３は、メモリ３２に格納されている画像表示用のデータをアナログ信号に変換して表示部２８やファインダ７６に供給する。こうして、メモリ３２に書き込まれた表示用の画像データはＤ／Ａ変換器１３を介して表示部２８やファインダ７６により表示される。表示部２８は、ＬＣＤ等の表示器上に、Ｄ／Ａ変換器１３からのアナログ信号に応じた表示を行う。Ａ／Ｄ変換器２３によって一度Ａ／Ｄ変換されメモリ３２に蓄積されたデジタル信号をＤ／Ａ変換器１３でアナログ変換し、表示部２８やファインダ７６に逐次転送しスルー画像表示（ライブビュー表示）をすることで、電子ビューファインダとして機能する。
【００１８】
不揮発性メモリ５６は、システム制御部５０によって電気的に消去・記録・読出し可能な記録媒体としてのメモリであり、例えばＥＥＰＲＯＭ等が用いられる。不揮発性メモリ５６には、システム制御部５０の動作用の定数、プログラム等が記憶される。ここでいう、プログラムとは、本実施形態にて後述する各種フローチャートを実行するためのコンピュータプログラムのことである。
【００１９】
システム制御部５０は、少なくとも１つのプロセッサーを内蔵し、デジタルカメラ１００全体を制御する。前述した不揮発性メモリ５６に記録されたプログラムを実行することで、後述する本実施形態の各処理を実現する。システムメモリ５２には、ＲＡＭが用いられる。システムメモリ５２には、システム制御部５０の動作用の定数、変数、不揮発性メモリ５６から読み出したプログラム等を展開する。また、システム制御部５０はメモリ３２、Ｄ／Ａ変換器１３、表示部２８等を制御することにより表示制御も行う。
【００２０】
システムタイマー５３は各種制御に用いる時間や、内蔵された時計の時間を計測する計時部である。
【００２１】
モード切替スイッチ６０、シャッターボタン６１、操作部７０はシステム制御部５０に各種の動作指示を入力するための操作手段である。
【００２２】
操作部７０の各操作部材は、表示部２８に表示される種々の機能アイテムを選択操作することなどにより、場面ごとに適宜機能が割り当てられ、各種機能ボタンとして作用する。
【００２３】
電源制御部８０は、電池検出回路、ＤＣ−ＤＣコンバータ、通電するブロックを切り替えるスイッチ回路等により構成され、電池（電源）の装着の有無、電池の種類、電池残量の検出を行う。また、電源制御部８０は、その検出結果及びシステム制御部５０の指示に基づいてＤＣ−ＤＣコンバータを制御し、必要な電力を必要な期間、記録媒体７３を含む各部へ供給する。電源スイッチ７２は、デジタルカメラ１００の伝のＯＮとＯＦＦを切り替えるためのスイッチである。また、電源Ｉ／Ｆ７５は外部のＡＣアダプタと接続するためのインターフェース（接続部）である。また、外部Ｉ／Ｆ７７はバッテリやレコーダと接続するためのインターフェースである。外部Ｉ／Ｆ７７にバッテリが接続された場合も、電源Ｉ／Ｆ７５にＡＣアダプタが接続された場合も、電圧測定部７４において電圧をＡＤ変換により測定することができる。測定された電圧は電源制御部８０に伝わり、入力される電圧の制御（メイン電源の決定）がされたり、撮影や記録といった処理に使用されるための電力として各部材へ伝わる。さらに、電源制御部８０は電圧測定部７４において測定した電圧をシステム制御部５０側へ伝え、システム制御部５０において表示等の制御をすることができる。ただし、レコーダを介して外部Ｉ／Ｆ７７から電力供給されている場合には、電圧測定部７４で測定された電圧は、外部Ｉ／Ｆ７７に入力された電圧であり、電源（バッテリ）の電圧ではない。通信部５４は、バッテリの電圧情報を取得可能なので、通信部５４の取得したバッテリ情報に基づき表示をすることができる。
【００２４】
記録媒体Ｉ／Ｆ１８は、メモリカードやハードディスク等の記録媒体７３とのインターフェースである。記録媒体７３は、撮影時に画像を記録するためのメモリカード等の不揮発性の記録媒体であり、半導体メモリや光ディスク、磁気ディスク等から構成される。高画質の動画や、長時間の動画等の大きな容量の撮影をする場合には記録媒体７３では容量が足りない場合がある。このように大きな容量の記録媒体が必要となる場合には、レコーダを接続して記録をする。
【００２５】
通信部５４は、無線または有線ケーブルによって外部機器やネットワークと接続し、映像信号や音声信号等、電力源の電圧に関する情報の送受信を行う。通信部５４は無線ＬＡＮ（Ｌｏｃａｌ  Ａｒｅａ  Ｎｅｔｗｏｒｋ）やインターネットとも接続可能である。通信部５４は撮像部２２で撮像した画像（スルー画像を含む）や、記録媒体７３に記録された画像を送信可能であり、また、外部機器から画像データやその他の各種情報を受信することができる。ただし、通信部５４が電力源と通信を行う場合、その電力源がデジタルカメラ１００と対応していないと、通信できない可能性がある。
【００２６】
図２（ｂ）は、デジタルカメラ１００の外部Ｉ／Ｆ７７、電源Ｉ／Ｆ７５とレコーダ２００、ＡＣアダプタの接続例を示したものである。図１（ｃ）のようにデジタルカメラ１００がレコーダ２００と接続し、さらにレコーダ２００がバッテリと接続している場合を示している。電源Ｉ／Ｆ７５にＡＣアダプタが接続しており、デジタルカメラ１００はＡＣアダプタからの電力供給を優先的に受け付けるので、図２（ｂ）において、デジタルカメラ１００はＡＣアダプタより電力を供給されている。外部Ｉ／Ｆ７７は、レコーダ２００の外部Ｉ／Ｆ２０６と接続しており、外部Ｉ／Ｆ７７を介してデジタルカメラ１００の撮像部２２で撮像された画像データは記録媒体２０５へ記録される。記録媒体２０５の容量はデジタルカメラ１００のＩ／Ｆ１８と接続する記録媒体７３の容量よりも大きい。電源Ｉ／Ｆ２０７はバッテリやＡＣアダプタを装着可能な電源入力のインターフェースであり、ここから入力される電源によってレコーダ２００は動作する。電源Ｉ／Ｆ２０７に装着されたバッテリの電源出力は、ＤＣ／ＤＣ変換部２０９により平均化され、１６Ｖ等の所定の電圧になり、外部Ｉ／Ｆ２０６を通してデジタルカメラ１００（カメラ本体）にも電力が供給される。ＤＣ／ＤＣ変換部２０９は、デジタルカメラ１００の定格電圧を超えないように、電圧を平均化し、外部Ｉ／Ｆ２０６からデジタルカメラ１００に供給する。またレコーダ２００においても、電圧測定部２１０があり、電源Ｉ／Ｆ２０７から入力された電圧をＡＤ変換し、測定している。すなわち、電源Ｉ／Ｆ２０７を介して供給されたバッテリの電力により、電圧測定部２１０においてバッテリの電圧を測定し、さらに、ＤＣ／ＤＣ変換部２０９においてデジタルカメラ１００の定格電圧以下にされる。そして、外部Ｉ／Ｆ２０６を介してデジタルカメラ１００に電力が供給される。さらに、電圧測定部２１０で測定したバッテリの電圧や、バッテリ接続の有無、バッテリの残量等の情報は、通信部２０８に伝わり、通信部２０８を介してデジタルカメラ１００に伝えられる。ただし、デジタルカメラ１００の電力供給源であるＡＣアダプタから、レコーダ２００側へ電力が供給されることはない。
【００２７】
さらに、内部バス２５０に対しては、ＣＰＵ２０２、メモリ２０１、不揮発性メモリ２０３、記録媒体Ｉ／Ｆ２０４、が接続されている。内部バス２５０に接続される各部は、内部バス２５０を介して互いにデータのやりとりを行うことができるようにされている。
【００２８】
メモリ２０１は、例えばＲＡＭ（半導体素子を利用した揮発性のメモリなど）からなる。ＣＰＵ２０２は、例えば不揮発性メモリ２０３に格納されるプログラムに従い、メモリ２０１をワークメモリとして用いて、レコーダ２００の各部を制御する。不揮発性メモリ２０３には、画像データや音声データ、その他のデータ、ＣＰＵ２０２が動作するための各種プログラムなどが格納される。不揮発性メモリ２０３は例えばハードディスク（ＨＤ）やＲＯＭなどで構成される。記憶媒体Ｉ／Ｆ２０４（メディアスロット）は、ＳＳＤ、ＨＤＤといった記録媒体２０５が装着可能とされ、ＣＰＵ２０２の制御に基づき、装着された記録媒体２０５からのデータの読み出しや、記録媒体２０５に対するデータの書き込みを行う。
【００２９】
レコーダ２００には記録媒体Ｉ／Ｆ２０４、記録媒体２０５があり、記録媒体２０５は取り外し可能である。レコーダ２００は、デジタルカメラ１００側の記録媒体よりも容量の大きなデータを記録可能であり、画像に関する処理能力も高い。また、電源Ｉ／Ｆ２０７は、レコーダ２００に供給可能なバッテリを接続するためのＩ／Ｆである。上述したようにレコーダ２００においては高速な画像処理と記録処理とを行うため、レコーダ２００の消費電力は高くなる。またＲＡＷ画像データを扱う場合にはより高速な記録処理が必要となるので、消費電力は高くなる。よって、ＡＣアダプタがデジタルカメラ１００に給電していたとしても、その電力を、デジタルカメラ１００を介してレコーダ２００に供給してしまうと、デジタルカメラ１００で使用可能な電力が減少し、撮影に影響がある可能性がある。よって、本実施形態においてはデジタルカメラ１００を介したレコーダ２００への電力の供給は行わないが、レコーダ２００を介してデジタルカメラ１００への電力の供給は行う。
【００３０】
図３を用いて本実施形態における電圧表示処理について説明をする。この処理は、不揮発性メモリ５６に記録されたプログラムをシステムメモリ５２に展開してシステム制御部５０が実行することで実現する。なお、この処理は、デジタルカメラ１００に電源が入り、表示部２８への表示が可能になると開始する。
【００３１】
Ｓ３０１では、システム制御部５０は、不揮発性メモリ５６に記録されているデジタルカメラ１００の定格電圧を取得し、システムメモリ５２に記録する。Ｓ３０１で取得した定格電圧は、バッテリの電圧が定格電圧を超えているか否かの判定に用いる。本実施形態において定格電圧は２０．０Ｖとする。
【００３２】
Ｓ３０２では、システム制御部５０は、電源Ｉ／Ｆ７５にＡＣアダプタが接続されているか否かを判定する。電源Ｉ／Ｆ７５にＡＣアダプタが接続されていると判定した場合は、Ｓ３０３へ進み、そうでない場合は、Ｓ３０５へ進む。
【００３３】
Ｓ３０３では、システム制御部５０は、電源Ｉ／Ｆ７５を介して接続しているＡＣアダプタの電圧を測定する。電圧の測定は電圧測定部７４において、ＡＤ変換により求めることができる。ＡＣアダプタから入力される電圧は、所定の電圧（例えば１４．０Ｖ）を受け入れており、定格電圧よりも小さい電圧となっている。
【００３４】
Ｓ３０４では、システム制御部５０は、Ｓ３０３において測定したＡＣアダプタの電圧を表示部２８のＡＣアダプタの電圧表示領域に表示する。図４（ａ）の電圧表示４０７はＡＣアダプタの電圧や、接続の有無等のＡＣアダプタに関する情報を表示するための領域であり、ＡＣアダプタを示すＤＣ  ＩＮと共に電圧は表示される。なお、Ｓ３０２においてＮＯと判定された場合には、ＡＣアダプタの電圧は無効であるので、図４（ｂ）の電圧表示４０９に示すようにＤＣ  ＩＮ――．−Ｖと表示される。
【００３５】
Ｓ３０５では、システム制御部５０は、外部Ｉ／Ｆ７７にレコーダ２００が接続されているか否かを判定する。外部Ｉ／Ｆ７７にレコーダ２００が接続されている状態とは図１（ｃ）に示す状態である。外部Ｉ／Ｆ７７にレコーダ２００が接続していると判定した場合は、Ｓ３０６へ進み、そうでない場合は、Ｓ３１１へ進む。
【００３６】
Ｓ３０６では、システム制御部５０は、レコーダ２００の通信部２０８と通信し、レコーダ２００と接続しているバッテリの情報を取得する。バッテリの情報とは、レコーダ２００にバッテリが接続されているか否かの情報、バッテリの電圧、バッテリ残量の割合（％）等が含まれる。
【００３７】
Ｓ３０７では、システム制御部５０は、Ｓ３０６で取得したバッテリの情報より、レコーダ２００にバッテリが接続されているか否かを判定する。レコーダ２００にバッテリが接続していると判定した場合は、Ｓ３０８へ進み、そうでない場合は、電圧表示処理を終了する。
【００３８】
Ｓ３０８では、システム制御部５０は、Ｓ３０６で取得したバッテリの電圧がＳ３０１で取得した定格電圧よりも大きいか否かを判定する。バッテリ電圧が定格電圧よりも大きいと判定された場合は、Ｓ３０９へ進み、そうでない場合は、Ｓ３１０へ進む。なお、ここで判定に使用するバッテリの電圧は、Ｓ３０６で取得した電圧を１秒や０．１秒といった所定時間で平均化した値である。ただし、必ずしも平均化した値でなくてもよい。
【００３９】
Ｓ３０９では、システム制御部５０は、バッテリ電圧の表示領域に定格電圧の値に＋（記号、印、マークなどの数字・文字とは異なるもの）を付け足して表示をする。定格電圧が２０．０Ｖの場合には、２０．０Ｖ＋と表示する。図４（ｃ）の電圧表示４１０に示すように、バッテリの電圧が定格電圧より大きい場合には、実際に取得した電圧を表示せず、定格電圧である２０．０Ｖを超えたことを示す。バッテリ電圧の表示領域は、バッテリの電圧や、接続の有無、バッテリの電圧が定格電圧を超えているのか否か、等のバッテリに関する情報を表示するための領域である。バッテリの電圧はデジタルカメラ１００の定格電圧を超えている場合でも、バッテリから供給される電力はレコーダ２００で消費され、さらにＤＣ／ＤＣ変換がされ、デジタルカメラ１００の定格電圧を超えないように供給されているので、機能に影響はない。つまり、ＤＣ／ＤＣ変換によりデジタルカメラ１００に定格電圧より大きな電圧が入力され、デジタルカメラ１００の撮影や記録といった機能が正常通りに機能しなくなったりしないように入力電圧を調整している。よって、ユーザに今すぐバッテリの電圧が２０．０Ｖ以下になるように調整するように促す必要が無いので、そのまま電圧を表示したり、警告メッセージを示してユーザに警告をすることはしない。そのまま電圧を表示してしまうと、ユーザが定格電圧を超えており、撮影に影響があると誤って認識してしまったり、デジタルカメラ１００が２０．０Ｖより大きな電圧を許容しているものと認識してしまう可能性がある。また、ＤＣ／ＤＣ変換をして平均化された電圧が入力されているからといって、平均化した電圧を表示すると、レコーダ２００に入力されている電圧自体が低いのか、レコーダ２００にはもっと高い電圧が入力されているのかユーザが分からなくなる可能性がある。しかしながら、定格電圧に＋をつけて表示をする表示形態にすることで、ユーザの見える電圧の数値は定格電圧と等しくなり、定格電圧は超えているが、警告（ＯＶＥＲの表示）とは異なり注意をする必要がないとユーザは認識することができる。さらに、デジタルカメラ１００の機能には影響がないと認識することができる。よって、バッテリ調整の必要がないのに、撮影を中断してしまったり、撮影準備操作を中断してしまったりする可能性を低減することができる。
【００４０】
Ｓ３１０では、システム制御部５０は、バッテリ電圧表示領域にＳ３０６で取得したバッテリ電圧を表示する。図４（ａ）の電圧表示４０８に示すように、取得したバッテリ電圧が１６．８Ｖである場合には、ＢＡＴＴ  １６．８Ｖとして表示をする。また、アイテム４１１はメインの電源（主電源）を示すアイテムであり、ＡＣアダプタとバッテリが接続されている場合には、ＡＣアダプタがメインの電源となるので、ＤＣ  ＩＮの表示の横にアイテム４１１が表示される。Ｓ３１０で表示される電圧は、取得したバッテリ電圧を平均化した値である。
【００４１】
Ｓ３１１では、システム制御部５０は、外部Ｉ／Ｆ７７にバッテリが接続しているか否かを判定する。外部Ｉ／Ｆ７７にバッテリが接続していると判定した場合は、Ｓ３１２へ進み、そうでない場合は、電圧表示処理を終了する。
【００４２】
Ｓ３１２では、システム制御部５０は、バッテリ電圧を測定する。バッテリ電圧の測定は、電圧測定部７４においてＡＤ変換をすることにより測定できる。ここで測定したバッテリ電圧はメモリ３２に記録する。
【００４３】
Ｓ３１３では、システム制御部５０は、Ｓ３１２で測定したバッテリ電圧がＳ３０１で取得した定格電圧よりも大きいか否かを判定する。バッテリ電圧が定格電圧よりも大きいと判定された場合は、Ｓ３１４へ進み、そうでない場合は、Ｓ３１５へ進む。なお、ここで判定に使用するバッテリの電圧は、Ｓ３１２で取得した電圧を１秒や０．１秒といった所定時間で平均化した値である。ただし、必ずしも平均化した値でなくてもよい。
【００４４】
Ｓ３１４では、システム制御部５０は、バッテリ電圧表示領域にＯＶＥＲと表示し、バッテリ電圧が定格電圧を超えたということを示し、警告をする。図４（ｄ）の電圧表示４１２に示すように、バッテリ電圧情報に、ＢＡＴＴ  ＯＶＥＲと表示する。Ｓ３１４では外部Ｉ／Ｆ７７に直接バッテリが接続しており、ＤＣ／ＤＣ変換をしておらず、ＡＤ変換をして取得した電圧がそのままデジタルカメラ１００に入力される。よって、ユーザにバッテリ電圧が定格電圧を超えていることを警告するためにＯＶＥＲと表示をする。Ｓ３０９のように２０．０Ｖ＋と表示すると、定格電圧を超えているがデジタルカメラ１００の機能に影響があるほどではないとユーザが認識してしまう可能性がある。そこで、ＯＶＥＲと表示し、明確に警告をすることで、ユーザが定格電圧を超えたことを認識できるようにする。
【００４５】
Ｓ３１５では、システム制御部５０は、Ｓ３１２において測定したバッテリ電圧をバッテリ電圧情報として表示する。図４（ａ）の電圧表示４０８に示すように、測定した電圧をそのままバッテリ電圧として表示する。なお、ここで表示するバッテリ電圧は、測定した電圧をさらに平均化した電圧である。
【００４６】
以上、説明した実施形態によればユーザは、デジタルカメラ１００に入力されている電圧が定格電圧を超えているのかをより正確に認識することができる。バッテリ電圧がデジタルカメラ１００の定格電圧を超えたからといって、いつも警告をしてしまうと、電圧を定格電圧以下に変換させて入力している場合にも警告をすることになる。一方で、いつも電源から入力されている電圧が定格電圧を超えているか否かに応じて警告をしてしまうと、電源の電圧がどのくらいなのか分からなくなってしまう。上述した実施形態では、レコーダを介し電圧を平均化している時には、バッテリの電圧が定格電圧を超えていても警告を表示せず、定格電圧を超えていることだけを示す。また、レコーダを介さず、バッテリの電圧を入力している時には、バッテリの電圧が定格電圧を超えたら警告を表示するようにする。よって、ユーザはいずれの場合にも、バッテリの電圧とデジタルカメラ１００の定格電圧の関係を認識することができるし、デジタルカメラ１００に入力されている電圧が定格電圧を超えているのか否かも認識することができる。
【００４７】
図５には、バッテリの電圧と表示部２８に表示する電圧表示の関係を示している。図５（ａ）は、デジタルカメラ１００とバッテリを直接接続した場合、すなわち電圧を平均化するレコーダを介さずに接続した場合を示している。定格電圧が２０．０Ｖであるとすると、測定された電圧が２０．０Ｖ以下であるうちは、バッテリ電圧としてそのままの数値を表示する。２０．０Ｖより大きくなると警告を示す表示をする。図５（ｂ）は、デジタルカメラ１００とバッテリを、レコーダを介して接続した場合を示している。レコーダとの通信で取得したバッテリ電圧が、定格電圧である２０．０Ｖ以下である場合には取得した電圧をそのまま表示する。取得した電圧が２０．０Ｖより大きくなると２０．０Ｖ＋のように定格電圧は超えていることは示し、警告はしないようにする。なお、上述した実施形態では定格電圧は、２０．０Ｖであるとしたが、定格電圧は２０．０Ｖでなくても、１０．０Ｖや３０．０Ｖでもよい。
【００４８】
図４（ｅ）〜（ｉ）にバッテリ電圧の表示の変形例を示す。図４（ｅ）〜（ｇ）は、レコーダを介してバッテリから電圧入力されている場合に、バッテリ電圧が定格電圧を超えた場合の表示（２０．０Ｖ＋）の変形例である。図４（ｅ）は、２０．０Ｖ〜と２０．０Ｖよりもバッテリ電圧が大きいことは示しているが警告としては表示しない。図４（ｆ）は、２０．０Ｖをまるで囲んでおり、２０．０Ｖに達していることを示しているが、警告としては表示しない。図４（ｇ）は、３０．０Ｖ−であり、２０．０Ｖまでの正確な電圧表示から大まかに３０．０Ｖ未満であることを示すことで、ユーザは２０．０Ｖは超えた状態であるが、警告を示す表示ではないので、注意をすべき状態ではないことを把握することができる。３０．０Ｖは一例であり、定格電圧を超えているが、バッテリの出力可能電圧よりも低い値であればよい。図４（ｈ）は、レコーダを介さずにバッテリを直接デジタルカメラ１００に接続している場合の表示（ＯＶＥＲ）の変形例である。図４（ｈ）は、実際に測定した電圧に感嘆符！を付すことでユーザに、定格電圧を超え、電圧を下げなければいけない状態であることを警告している。図４（ｉ）は、定格超えと表示をすることで警告をしている。また表示例はこれに限らず、定格電圧の値を点滅させたり、色を変えてもよい。なお、本実施形態では、デジタルカメラ１００にＡＣアダプタが接続されていても、レコーダ２００側には給電しないと説明をしたが、ＡＣアダプタからデジタルカメラ１００を介し、レコーダ２００に給電するようにしてもよい。しかし、上述したようにレコーダ２００の消費電力は大きいので、ＡＣアダプタより給電を受けている場合であってもバッテリから給電を受けている場合には、バッテリからの給電を優先的に受けるようにする。
【００４９】
なお、ＡＣアダプタとバッテリの表示の更新は、Ｓ３０４、Ｓ３０９、Ｓ３１０、Ｓ３１４、Ｓ３１５において行うものとして説明をしたが、上述の各ステップにおいてメモリ３２に表示内容を記録しておき、最後に表示を更新するようにしてもよい。例えば、ＡＣアダプタの電圧はＤＣ  ＩＮ＝αＶ、または無効として記録し、バッテリの電圧はＢＡＴＴ＝βＶ、無効、またはＯＶＥＲと記録する。
【００５０】
なお、Ｓ３０８やＳ３１３においてバッテリの電圧と、定格電圧とを比較したが、最大定格電圧や、瞬間最大定格電圧を比較してもよい。
【００５１】
なお、システム制御部５０が行うものとして説明した上述の各種の制御は１つのハードウェアが行ってもよいし、複数のハードウェアが処理を分担することで、装置全体の制御を行ってもよい。
【００５２】
また、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【００５３】
また、上述した実施形態においては、本発明をデジタルカメラ１００に適用した場合を例にして説明したが、これはこの例に限定されず、以下のような電源との接続方法が可能な装置であればよい。すなわち、電源から直接電圧を入力する接続方法と、電源から定格電圧以下に変換された電圧を入力する接続方法とが可能な表示制御装置であれば適用可能である。すなわち、本発明は業務用のカメラ、業務用の画像編集装置、音楽編集装置、携帯電話端末やゲーム機、タブレットＰＣ、デスクトップＰＣ、スマートフォン、投影装置、表示部を有する家電装置等に適用可能である。また、メインとなる装置は上述した装置に適用可能であるが、レコーダに対応する装置としては、入力された電圧を平均化（平滑化）するようなＤＣ／ＤＣコンバータやＤＣ／ＤＣコンバータ回路を有する装置または、電圧変換部であれば適用可能である。
【００５４】
（他の実施形態）
本発明は、以下の処理を実行することによっても実現される。即ち、上述した実施形態の機能を実現するソフトウェア（プログラム）をネットワーク又は各種記録媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記録媒体は本発明を構成することになる。
【図１】
2018031965.tif 000003
【図２】
2018031965.tif 000004
【図３】
2018031965.tif 000005
【図４】
2018031965.tif 000006
【図５】
2018031965.tif 000007